(57)【要約】  【課題】  記憶媒体に保存されている個人情報である患者データが流出することを手間をかけることなく防止する。  【解決手段】  メモリ４〜７に保存されているデータを一括消去するコマンドが操作部１から入力されると（ステップＳ１）、メモリに保存されているデータを一括消去する（ステップＳ２）。また、既に登録されている病院名、使用言語、タイムゾーン、プリセットデータ、ユーザカスタマイズデータが変更された場合、転売されたものと判断してメモリに保存されているデータを一括消去する（ステップＳ２）。【選択図】  図２
2006320542.tif 000002
【特許請求の範囲】
【請求項１】
患者データを記憶媒体に保存して利用する超音波診断装置において、
前記記憶媒体に保存されている患者データを一括消去するコマンドを入力する入力手段と、
前記入力手段を介して前記一括消去コマンドが入力された場合に、前記記憶媒体に保存されている患者データを一括消去することができる一括消去手段とを、
備えたことを特徴とする超音波診断装置。
【請求項２】
患者データを記憶媒体に保存して利用するとともに、ユーザが病院名を登録可能な超音波診断装置において、
既に登録されている病院名が変更された場合に、前記記憶媒体に保存されている患者データを一括消去することができる一括消去手段を、
備えたことを特徴とする超音波診断装置。
【請求項３】
患者データを記憶媒体に保存して利用するとともに、ユーザが使用言語を登録可能な超音波診断装置において、
既に登録されている使用言語が変更された場合に、前記記憶媒体に保存されている患者データを一括消去することができる一括消去手段を、
備えたことを特徴とする超音波診断装置。
【請求項４】
患者データを記憶媒体に保存して利用するとともに、ユーザがタイムゾーンを登録可能な超音波診断装置において、
既に登録されているタイムゾーンが変更された場合に、前記記憶媒体に保存されている患者データを一括消去することができる一括消去手段を、
備えたことを特徴とする超音波診断装置。
【請求項５】
患者データを記憶媒体に保存して利用するとともに、ユーザがプリセットデータを設定可能な超音波診断装置において、
既に設定されているプリセットデータが変更された場合に、前記記憶媒体に保存されている患者データを一括消去することができる一括消去手段を、
備えたことを特徴とする超音波診断装置。
【請求項６】
患者データを記憶媒体に保存して利用するとともに、ユーザがユーザカスタマイズデータを設定可能な超音波診断装置において、
既に設定されているユーザカスタマイズデータが変更された場合に、前記記憶媒体に保存されている患者データを一括消去することができる一括消去手段を、
備えたことを特徴とする超音波診断装置。
【発明の詳細な説明】
【技術分野】
【０００１】
本発明は、超音波診断画像などの各種の患者データを記憶媒体に保存して利用する超音波診断装置に関する。
【背景技術】
【０００２】
近年、大容量の記憶媒体が普及し、超音波診断装置においても超音波診断画像などの各種の患者データを装置内部や外部の記憶媒体に保存して利用している。図８は、保存するデータの例として特許文献１に記載されている超音波診断装置を示し、この装置は患者レポートデータメモリ１４と、胎児・標準体格データメモリ１５と、胎児ピクトグラムデータメモリ１６と胎児標準偏差ピクトグラムデータメモリ１７を備えている。なお、図８において、１は操作盤、２はエコー画像処理部、３は中央処理部、８はエコー計測部、９はイメージ表示処理部、１１は表示部である。
【特許文献１】特開平１１−２９９７９１号公報（要約書）
【発明の開示】
【発明が解決しようとする課題】
【０００３】
しかしながら、従来の超音波診断装置では、破棄したり、転売する場合、記憶媒体に保存されている個人情報である患者データが流出する危険性があるという問題点がある。なお、破棄や転売の際に、記憶媒体に保存されている患者データを消去するには、個々のデータを個々に消去するか、記憶媒体そのものを廃棄する必要があるので、多大な手間が発生し、完全なデータの消去が管理されていない。また、記憶媒体そのものを廃棄する方法は、転売する場合には適用することができない。
【０００４】
本発明は上記従来例の問題点に鑑み、記憶媒体に保存されている個人情報である患者データが流出することを手間をかけることなく防止することができ、ひいてはセキュリティを向上させることができる超音波診断装置を提供することを目的とする。
【課題を解決するための手段】
【０００５】
本発明は上記目的を達成するために、患者データを記憶媒体に保存して利用する超音波診断装置において、
前記記憶媒体に保存されている患者データを一括消去するコマンドを入力する入力手段と、
前記入力手段を介して前記一括消去コマンドが入力された場合に、前記記憶媒体に保存されている患者データを一括消去することができる一括消去手段とを備えた構成とした。
この構成により、一括消去コマンドが入力された場合に、記憶媒体に保存されている患者データを一括消去することができるので、記憶媒体に保存されている個人情報である患者データが流出することを手間をかけることなく防止することができ、ひいてはセキュリティを向上させることができる。
【０００６】
また、本発明は上記目的を達成するために、患者データを記憶媒体に保存して利用するとともに、ユーザが病院名を登録可能な超音波診断装置において、
既に登録されている病院名が変更された場合に、前記記憶媒体に保存されている患者データを一括消去することができる一括消去手段を備えた構成とした。
この構成により、既に登録されている病院名が変更された場合に、転売されたものと判断して記憶媒体に保存されている患者データを一括消去することができるので、記憶媒体に保存されている個人情報である患者データが流出することを手間をかけることなく防止することができ、ひいてはセキュリティを向上させることができる。
【０００７】
また、本発明は上記目的を達成するために、患者データを記憶媒体に保存して利用するとともに、ユーザが使用言語を登録可能な超音波診断装置において、
既に登録されている使用言語が変更された場合に、前記記憶媒体に保存されている患者データを一括消去することができる一括消去手段を備えた構成とした。
この構成により、既に登録されている使用言語が変更された場合に、転売されたものと判断して記憶媒体に保存されている患者データを一括消去することができるので、記憶媒体に保存されている個人情報である患者データが流出することを手間をかけることなく防止することができ、ひいてはセキュリティを向上させることができる。
【０００８】
また、本発明は上記目的を達成するために、患者データを記憶媒体に保存して利用するとともに、ユーザがタイムゾーンを登録可能な超音波診断装置において、
既に登録されているタイムゾーンが変更された場合に、前記記憶媒体に保存されている患者データを一括消去することができる一括消去手段を備えた構成とした。
この構成により、既に登録されているタイムゾーンが変更された場合に、転売されたものと判断して記憶媒体に保存されている患者データを一括消去することができるので、記憶媒体に保存されている個人情報である患者データが流出することを手間をかけることなく防止することができ、ひいてはセキュリティを向上させることができる。
【０００９】
また、本発明は上記目的を達成するために、患者データを記憶媒体に保存して利用するとともに、ユーザがプリセットデータを設定可能な超音波診断装置において、
既に設定されているプリセットデータが変更された場合に、前記記憶媒体に保存されている患者データを一括消去することができる一括消去手段を備えた構成とした。
この構成により、既に設定されているプリセットデータが変更された場合に、転売されたものと判断して記憶媒体に保存されている患者データを一括消去することができるので、記憶媒体に保存されている個人情報である患者データが流出することを手間をかけることなく防止することができ、ひいてはセキュリティを向上させることができる。
【００１０】
また、本発明は上記目的を達成するために、患者データを記憶媒体に保存して利用するとともに、ユーザがユーザカスタマイズデータを設定可能な超音波診断装置において、
既に設定されているユーザカスタマイズデータが変更された場合に、前記記憶媒体に保存されている患者データを一括消去することができる一括消去手段を備えた構成とした。
この構成により、既に設定されているユーザカスタマイズデータが変更された場合に、転売されたものと判断して記憶媒体に保存されている患者データを一括消去することができるので、記憶媒体に保存されている個人情報である患者データが流出することを手間をかけることなく防止することができ、ひいてはセキュリティを向上させることができる。
【発明の効果】
【００１１】
本発明によれば、記憶媒体に保存されている患者データを一括消去することができるので、記憶媒体に保存されている個人情報である患者データが流出することを手間をかけることなく防止することができ、ひいてはセキュリティを向上させることができる。
【発明を実施するための最良の形態】
【００１２】
以下、図面を参照して本発明の実施の形態について説明する。
＜第１の実施の形態＞
図１は本発明に係る超音波診断装置の第１の実施の形態を示すブロック図である。
【００１３】
図１において、操作部１はキーボード、トラックボール、キー、ノブ、ＬＣＤ表示部などから構成される。エコー画像処理部２は超音波プローブを介して取り込まれたエコーデータを処理してデジタル・スキャン・コンバータによりエコー画像を生成する。中央処理部３は操作部１、エコー画像処理部２などを制御する。図１に示す例では、患者データを記憶する媒体として、患者データメモリ４、レポートデータメモリ５、計測データメモリ６、ユーザカスタマイズメモリ７が設けられている。エコー計測部８はエコー画像中の特定の診断対象部位の各種データを計測し、イメージ表示処理部９は、エコー画像処理部２により生成されたエコー画像や、メモリ４〜７に保存されているデータや、エコー計測部８により計測されたデータを表示部１１の画面上に合成して表示可能なように処理する。
【００１４】
以上のように構成された超音波診断装置において、図２に示すようにメモリ４〜７に保存されているデータを一括消去する機能を選択してこれに対応するコマンドを選び、操作部１から入力すると（ステップＳ１）、メモリ４〜７に保存されているデータを一括消去する（ステップＳ２）。ステップＳ１において入力する一括消去コマンドとしては、表示部１１にメニュー画面を表示してメニュー画面から「一括消去」を選択する方法、操作部１の所定の複数のキーを同時に押す方法、操作部１に特殊キーを設ける方法、シーケンスにより操作部１の所定の複数のキーを所定のパターンで操作する方法など、簡単かつ誤操作しない操作方法が考えられる。また、ステップＳ２において一括消去する際、前もって消去確認画面を表示するようにしてもよく、更にファイル構成が実データとその索引データにより構成されている場合、両方とも消去することが望ましい。
この構成により、メモリ４〜７に保存されている患者データを一括消去することができるので、メモリ４〜７に保存されている個人情報である患者データが流出することを手間をかけることなく防止することができ、ひいてはセキュリティを向上させることができる。
【００１５】
＜第２の実施の形態＞
また、装置が転売により再利用された場合に自動的に一括消去するようにしてもよい。図３は病院名が登録可能な第２の実施の形態の処理を示し、既に登録されている病院名が変更された場合（ステップＳ１ａ）、転売されたものと判断してメモリ４〜７に保存されているデータを一括消去する（ステップＳ２）。
【００１６】
＜第３の実施の形態＞
図４は使用言語が登録可能な第３の実施の形態の処理を示し、既に登録されている使用言語が変更された場合（ステップＳ１ｂ）、転売されたものと判断してメモリ４〜７に保存されているデータを一括消去する（ステップＳ２）。
【００１７】
＜第４の実施の形態＞
図５はタイムゾーンが登録可能な第４の実施の形態の処理を示し、既に登録されているタイムゾーンが変更された場合（ステップＳ１ｃ）、転売されたものと判断してメモリ４〜７に保存されているデータを一括消去する（ステップＳ２）。
【００１８】
＜第５の実施の形態＞
図６は種々のプリセットデータを設定可能な第５の実施の形態の処理を示し、既に登録されているプリセットデータが変更された場合（ステップＳ１ｄ）、転売されたものと判断してメモリ４〜７に保存されているデータを一括消去する（ステップＳ２）。
【００１９】
図７は種々のユーザカスタマイズデータを設定可能な装置の処理を示し、既に登録されているユーザカスタマイズデータが変更された場合（ステップＳ１ｅ）、転売されたものと判断してメモリ４〜７に保存されているデータを一括消去する（ステップＳ２）。
【産業上の利用可能性】
【００２０】
本発明は、記憶媒体に保存されている患者データを一括消去するので、記憶媒体に保存されている個人情報である患者データが流出することを手間をかけることなく防止することができ、ひいてはセキュリティを向上させることができるという効果を有し、超音波診断装置などに利用することができる。
【図面の簡単な説明】
【００２１】
【図１】本発明に係る超音波診断装置の第１の実施の形態を示すブロック図
【図２】第１の実施の形態の超音波診断装置の処理を説明するためのフローチャート
【図３】第２の実施の形態の超音波診断装置の処理を説明するためのフローチャート
【図４】第３の実施の形態の超音波診断装置の処理を説明するためのフローチャート
【図５】第４の実施の形態の超音波診断装置の処理を説明するためのフローチャート
【図６】第５の実施の形態の超音波診断装置の処理を説明するためのフローチャート
【図７】第６の実施の形態の超音波診断装置の処理を説明するためのフローチャート
【図８】従来の超音波診断装置を示すブロック図
【符号の説明】
【００２２】
１  操作部
２  エコー画像処理部
３  中央処理部
４  患者データメモリ
５  レポートデータメモリ
６  計測データメモリ
７  ユーザカスタマイズメモリ
８  エコー計測部
９  イメージ表示処理部
１１  表示部
【図１】
2006320542.tif 000003
【図２】
2006320542.tif 000004
【図３】
2006320542.tif 000005
【図４】
2006320542.tif 000006
【図５】
2006320542.tif 000007
【図６】
2006320542.tif 000008
【図７】
2006320542.tif 000009
【図８】
2006320542.tif 000010